(57)【要約】【課題】  コンテンツを閲覧する閲覧者側の表示の自由度を確保することができ、コンテンツを編集する編集者側の負担の軽減化を図ることができるコンテンツ閲覧システムを提供する。【解決手段】  閲覧手段２６から取得した閲覧者のアクションと関連情報格納部２４に格納されているオブジェクト間の関連情報とに基づくオブジェクト表示変化の対象となるオブジェクトをオブジェクト格納部２１から検索し、検索されたオブジェクトに基づいてコンテンツを形成して表示する。これにより、各種のオブジェクトの集合で構成されるコンテンツがオブジェクト表示変化により動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることができ、コンテンツを閲覧する閲覧者側の表示の自由度を確保することができる。【選択図】    図３
2006048151.tif 000002
【特許請求の範囲】
【請求項１】
入力部を介した閲覧者によるアクションの入力とコンテンツの閲覧を許容する閲覧手段と、
前記入力部を介した編集者によるアクションの入力によりコンテンツの編集を許容する編集手段と、
コンテンツを構成する各種のオブジェクトを格納するオブジェクト格納部と、
オブジェクト間の関連情報を格納する関連情報格納部と、
前記編集手段から取得した編集者のアクションに基づいてオブジェクト間の関連付けを行い、オブジェクト間の関連情報を前記関連情報格納部に格納する関連情報生成手段と、
前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索手段と、
このオブジェクト検索手段で検索したオブジェクトに基づいてコンテンツを形成して表示部に表示する表示制御手段と、
を備えることを特徴とするコンテンツ閲覧システム。
【請求項２】
前記オブジェクト検索手段は、前記表示部に表示されるオブジェクトの表示メディア形式を連続的かつ対話的に変化もしくは拡張させるオブジェクトを検索する、
ことを特徴とする請求項１記載のコンテンツ閲覧システム。
【請求項３】
前記オブジェクト検索手段は、前記表示部に表示されるオブジェクトの詳細度を連続的かつ対話的に変化させるオブジェクトを検索する、
ことを特徴とする請求項１記載のコンテンツ閲覧システム。
【請求項４】
前記オブジェクト検索手段は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する、
ことを特徴とする請求項１記載のコンテンツ閲覧システム。
【請求項５】
前記関連情報格納部には、ある対象オブジェクトの詳細度の変化に従って同様の詳細度の変化をする別のオブジェクトが関連付けられており、
前記オブジェクト検索手段は、ある対象オブジェクトの詳細度を次第に高く変化させる際に、異なる別のオブジェクトの詳細度も次第に高く変化させる、もしくは、ある対象オブジェクトの詳細度を次第に低く変化させる際に、異なる別のオブジェクトの詳細度も次第に低く変化させるオブジェクトを検索する、
ことを特徴とする請求項３または４記載のコンテンツ閲覧システム。
【請求項６】
前記関連情報格納部には、ある対象オブジェクトの詳細度の変化に従って逆の詳細度の変化をする別のオブジェクトが関連付けられており、
前記オブジェクト検索手段は、ある対象オブジェクトの詳細度を次第に高く変化させる際に、異なる別のオブジェクトの詳細度を次第に低く変化させる、もしくは、ある対象オブジェクトの詳細度を次第に低く変化させる際に、異なる別のオブジェクトの詳細度を次第に高く変化させるオブジェクトを検索する、
ことを特徴とする請求項３または４記載のコンテンツ閲覧システム。
【請求項７】
前記関連情報格納部には、ある対象オブジェクトの詳細度の変化に従って新たに現れる別のオブジェクトが関連付けられており、
前記オブジェクト検索手段は、ある対象オブジェクトの詳細度を変化させる際に、少なくとも１以上の新たなオブジェクトを検索する、
ことを特徴とする請求項３ないし５のいずれか一記載のコンテンツ閲覧システム。
【請求項８】
前記関連情報格納部には、ある対象オブジェクトのメディア形式の変化もしくは拡張に従って新たに現れる別のオブジェクトが関連付けられており、
前記オブジェクト検索手段は、ある対象オブジェクトのメディア形式の変化もしくは拡張させる際に、少なくとも１以上の新たなオブジェクトを検索する、
ことを特徴とする請求項２記載のコンテンツ閲覧システム。
【請求項９】
新たに現れるオブジェクトの位置は、対象オブジェクトの近傍に設定される、
ことを特徴とする請求項７または８記載のコンテンツ閲覧システム。
【請求項１０】
前記表示制御手段による表示制御対象の対象オブジェクトは階層的に構成されており、階層単位で表示制御される、
ことを特徴とする請求項１ないし９のいずれか一記載のコンテンツ閲覧システム。
【請求項１１】
前記表示制御手段は、表示制御対象の対象オブジェクトの選択に際し、当該対象オブジェクトを枠線で囲って表示する、
ことを特徴とする請求項１ないし１０のいずれか一記載のコンテンツ閲覧システム。
【請求項１２】
前記表示制御手段は、表示制御対象の対象オブジェクトの選択に際し、当該対象オブジェクトの上位階層のオブジェクトを囲む枠線も表示する、
ことを特徴とする請求項１１記載のコンテンツ閲覧システム。
【請求項１３】
前記表示制御手段は、表示制御対象の対象オブジェクトの選択に際し、当該対象オブジェクトの下位階層のオブジェクトを囲む枠線も表示する、
ことを特徴とする請求項１１または１２記載のコンテンツ閲覧システム。
【請求項１４】
前記表示制御手段は、表示制御対象の対象オブジェクトを囲む枠線と対象オブジェクト以外のオブジェクトを囲む枠線とを、視覚的に区別可能に表示する、
ことを特徴とする請求項１２または１３記載のコンテンツ閲覧システム。
【請求項１５】
前記関連情報格納部には、前記閲覧手段におけるコンテンツの閲覧の際の初期画面を構成するオブジェクトの組が閲覧側の機器の種類に応じて複数定められており、
前記オブジェクト検索手段は、閲覧側の機器の種類に応じた適切なオブジェクトの組を前記関連情報格納部から検索する、
ことを特徴とする請求項１ないし１４記載のコンテンツ閲覧システム。
【請求項１６】
前記関連情報格納部には、前記閲覧手段におけるコンテンツの閲覧の際の初期画面を構成するオブジェクトの組が閲覧者の属性に応じて複数定められており、
前記オブジェクト検索手段は、閲覧者の属性に応じた適切なオブジェクトの組を前記関連情報格納部から検索する、
ことを特徴とする請求項１ないし１４記載のコンテンツ閲覧システム。
【請求項１７】
前記関連情報格納部には、オブジェクトに対するオブジェクト表示変化の履歴が閲覧者に対応付けて格納されており、
前記オブジェクト検索手段は、前記関連情報格納部に格納されているオブジェクトに対するオブジェクト表示変化の履歴に基づいてオブジェクトを前記関連情報格納部から検索する、
ことを特徴とする請求項１ないし１６記載のコンテンツ閲覧システム。
【請求項１８】
入力部を介した閲覧者によるアクションの入力とコンテンツの閲覧を許容する閲覧手段と、前記入力部を介した編集者によるアクションの入力によりコンテンツの編集を許容する編集手段との少なくとも一方を備えるクライアントに接続されるコンテンツサーバにおいて、
コンテンツを構成する各種のオブジェクトを格納するオブジェクト格納部と、
オブジェクト間の関連情報を格納する関連情報格納部と、
前記編集手段から取得した編集者のアクションに基づいてオブジェクト間の関連付けを行い、オブジェクト間の関連情報を前記関連情報格納部に格納する関連情報生成手段と、
前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索手段と、
このオブジェクト検索手段で検索したオブジェクトに基づいてコンテンツを形成して表示部に表示する表示制御手段と、
を備えることを特徴とするコンテンツサーバ。
【請求項１９】
前記オブジェクト検索手段は、前記表示部に表示されるオブジェクトの表示メディア形式を連続的かつ対話的に変化もしくは拡張させるオブジェクトを検索する、
ことを特徴とする請求項１８記載のコンテンツサーバ。
【請求項２０】
前記オブジェクト検索手段は、前記表示部に表示されるオブジェクトの詳細度を連続的かつ対話的に変化させるオブジェクトを検索する、
ことを特徴とする請求項１８記載のコンテンツサーバ。
【請求項２１】
前記オブジェクト検索手段は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する、
ことを特徴とする請求項１８記載のコンテンツサーバ。
【請求項２２】
前記関連情報格納部には、ある対象オブジェクトの詳細度の変化に従って同様の詳細度の変化をする別のオブジェクトが関連付けられており、
前記オブジェクト検索手段は、ある対象オブジェクトの詳細度を次第に高く変化させる際に、異なる別のオブジェクトの詳細度も次第に高く変化させる、もしくは、ある対象オブジェクトの詳細度を次第に低く変化させる際に、異なる別のオブジェクトの詳細度も次第に低く変化させるオブジェクトを検索する、
ことを特徴とする請求項２０または２１記載のコンテンツサーバ。
【請求項２３】
前記関連情報格納部には、ある対象オブジェクトの詳細度の変化に従って逆の詳細度の変化をする別のオブジェクトが関連付けられており、
前記オブジェクト検索手段は、ある対象オブジェクトの詳細度を次第に高く変化させる際に、異なる別のオブジェクトの詳細度を次第に低く変化させる、もしくは、ある対象オブジェクトの詳細度を次第に低く変化させる際に、異なる別のオブジェクトの詳細度を次第に高く変化させるオブジェクトを検索する、
ことを特徴とする請求項２０または２１記載のコンテンツサーバ。
【請求項２４】
前記関連情報格納部には、ある対象オブジェクトの詳細度の変化に従って新たに現れる別のオブジェクトが関連付けられており、
前記オブジェクト検索手段は、ある対象オブジェクトの詳細度を変化させる際に、少なくとも１以上の新たなオブジェクトを検索する、
ことを特徴とする請求項２０ないし２２のいずれか一記載のコンテンツサーバ。
【請求項２５】
前記関連情報格納部には、ある対象オブジェクトのメディア形式の変化もしくは拡張に従って新たに現れる別のオブジェクトが関連付けられており、
前記表示制御手段は、ある対象オブジェクトのメディア形式の変化もしくは拡張させる際に、少なくとも１以上の新たなオブジェクトを表示する、
ことを特徴とする請求項１９記載のコンテンツサーバ。
【請求項２６】
新たに現れるオブジェクトの位置は、対象オブジェクトの近傍に設定される、
ことを特徴とする請求項２４または２５記載のコンテンツサーバ。
【請求項２７】
前記表示制御手段による表示制御対象の対象オブジェクトは階層的に構成されており、階層単位で表示制御される、
ことを特徴とする請求項１８ないし２６のいずれか一記載のコンテンツサーバ。
【請求項２８】
前記表示制御手段は、表示制御対象の対象オブジェクトの選択に際し、当該対象オブジェクトを枠線で囲って表示する、
ことを特徴とする請求項１８ないし２７のいずれか一記載のコンテンツサーバ。
【請求項２９】
前記表示制御手段は、表示制御対象の対象オブジェクトの選択に際し、当該対象オブジェクトの上位階層のオブジェクトを囲む枠線も表示する、
ことを特徴とする請求項２８記載のコンテンツサーバ。
【請求項３０】
前記表示制御手段は、表示制御対象の対象オブジェクトの選択に際し、当該対象オブジェクトの下位階層のオブジェクトを囲む枠線も表示する、
ことを特徴とする請求項２８または２９記載のコンテンツサーバ。
【請求項３１】
前記表示制御手段は、表示制御対象の対象オブジェクトを囲む枠線と対象オブジェクト以外のオブジェクトを囲む枠線とを、視覚的に区別可能に表示する、
ことを特徴とする請求項２９または３０記載のコンテンツサーバ。
【請求項３２】
前記関連情報格納部には、前記閲覧手段におけるコンテンツの閲覧の際の初期画面を構成するオブジェクトの組が閲覧側の機器の種類に応じて複数定められており、
前記オブジェクト検索手段は、閲覧側の機器の種類に応じた適切なオブジェクトの組を前記関連情報格納部から検索する、
ことを特徴とする請求項１８ないし３１記載のコンテンツサーバ。
【請求項３３】
前記関連情報格納部には、前記閲覧手段におけるコンテンツの閲覧の際の初期画面を構成するオブジェクトの組が閲覧者の属性に応じて複数定められており、
前記オブジェクト検索手段は、閲覧者の属性に応じた適切なオブジェクトの組を前記関連情報格納部から検索する、
ことを特徴とする請求項１８ないし３１記載のコンテンツサーバ。
【請求項３４】
前記関連情報格納部には、オブジェクトに対するオブジェクト表示変化の履歴が閲覧者に対応付けて格納されており、
前記オブジェクト検索手段は、前記関連情報格納部に格納されているオブジェクトに対するオブジェクト表示変化の履歴に基づいてオブジェクトを前記関連情報格納部から検索する、
ことを特徴とする請求項１８ないし３３記載のコンテンツサーバ。
【請求項３５】
入力部を介した閲覧者によるアクションの入力とコンテンツの閲覧を許容する閲覧機能と、
前記入力部を介した編集者によるアクションの入力によりコンテンツの編集を許容する編集機能と、
コンテンツを構成する各種のオブジェクトを格納するオブジェクト格納部を形成する機能と、
オブジェクト間の関連情報を格納する関連情報格納部を形成する機能と、
前記編集機能から取得した編集者のアクションに基づいてオブジェクト間の関連付けを行い、オブジェクト間の関連情報を前記関連情報格納部に格納する関連情報生成機能と、
前記閲覧機能から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索機能と、
このオブジェクト検索機能で検索したオブジェクトに基づいてコンテンツを形成して表示部に表示する表示制御機能と、
をコンピュータに実行させるコンピュータに読取り可能なプログラム。
【請求項３６】
前記オブジェクト検索機能は、前記表示部に表示されるオブジェクトの表示メディア形式を連続的かつ対話的に変化もしくは拡張させるオブジェクトを検索する、
ことを特徴とする請求項３５記載のプログラム。
【請求項３７】
前記オブジェクト検索機能は、前記表示部に表示されるオブジェクトの詳細度を連続的かつ対話的に変化させるオブジェクトを検索する、
ことを特徴とする請求項３５記載のプログラム。
【請求項３８】
前記オブジェクト検索機能は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する、
ことを特徴とする請求項３５記載のプログラム。
【請求項３９】
入力部を介した閲覧者によるアクションの入力とコンテンツの閲覧を許容する閲覧手段と、前記入力部を介した編集者によるアクションの入力によりコンテンツの編集を許容する編集手段との少なくとも一方を備えるクライアントに接続されるコンテンツサーバを制御するコンピュータに読取可能なプログラムであって、
コンテンツを構成する各種のオブジェクトを格納するオブジェクト格納部を形成する機能と、
オブジェクト間の関連情報を格納する関連情報格納部を形成する機能と、
前記編集手段から取得した編集者のアクションに基づいてオブジェクト間の関連付けを行い、オブジェクト間の関連情報を前記関連情報格納部に格納する関連情報生成機能と、
前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索機能と、
このオブジェクト検索機能で検索したオブジェクトに基づいてコンテンツを形成して表示部に表示する表示制御機能と、
を前記コンピュータに実行させることを特徴とするプログラム。
【請求項４０】
前記オブジェクト検索機能は、前記表示部に表示されるオブジェクトの表示メディア形式を連続的かつ対話的に変化もしくは拡張させるオブジェクトを検索する、
ことを特徴とする請求項３９記載のプログラム。
【請求項４１】
前記オブジェクト検索機能は、前記表示部に表示されるオブジェクトの詳細度を連続的かつ対話的に変化させるオブジェクトを検索する、
ことを特徴とする請求項３９記載のプログラム。
【請求項４２】
前記オブジェクト検索機能は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する、
ことを特徴とする請求項３９記載のプログラム。
【請求項４３】
請求項３５ないし３８のいずれか一記載のプログラムを記憶することを特徴とする記憶媒体。
【請求項４４】
請求項３９ないし４２のいずれか一記載のプログラムを記憶することを特徴とする記憶媒体。
【発明の詳細な説明】
【技術分野】
【０００１】
本発明は、コンテンツ閲覧システム、コンテンツサーバ、プログラムおよび記憶媒体に関する。
【背景技術】
【０００２】
近年、オフィス文書（報告書、議事録、メモ等）においては、カメラ付き携帯電話やデジタルビデオカメラ等の普及により、多様なメディア（テキスト、静止画、動画等）からなるオブジェクトの集合で構成されるマルチメディアコンテンツ化が進んでいる。
【０００３】
ところで、このようなマルチメディアコンテンツを現状のブラウザで閲覧、編集するにあたり、下記に示すような問題点がある。
【０００４】
第１には、画面構成が固定的である点である。より詳細には、全情報を１つのページに表示すると、一覧性が悪くなり、かつ、画面構成が固定的なのでメディアの詳細度や異種メディア間（例えば、テキストと関連画像）の表示バランスを閲覧者の好みや閲覧機器に応じて柔軟に制御できない。
【０００５】
第２には、関連情報が異なるページに表示される点である。より詳細には、ハイパーリンクを利用して関連付けると、関連情報が異なるページに表示されるので、着目部分の全体の中での位置づけや閲覧の文脈が分かりにくくなる。  
【０００６】
第３には、編集・作成に手間がかかる点である。より詳細には、コンテンツ作成においてはページ内のレイアウトや表示サイズを細部まで作り込む必要があり、手間がかかる。また、コンテンツ作成時にはリンク元とリンク先の全ページを作成する必要がある。
【０００７】
そこで、特許文献１，２，３においては、ズーミングメタファを利用することにより、上記の問題点の一部を解決しようとしている。
【０００８】
特許文献１には、ハイパーテキスト構造を持つ電子文書群を、そのリンク構造に基づいて、単一の仮想空間内に配置し、同仮想空間内に定義した視野に基づいて、電子文書を閲覧するための表示画像を生成し、表示装置に表示するようにした電子情報表示方法が記載されている。このような特許文献１の電子情報表示方法によれば、ユーザの指示に従って視野を連続的に変化させ、そのときの視野に基づく表示画像をリアルタイムで連続的に生成し、表示装置に表示することにより、ユーザは、仮想空間内で視野を連続的に変化させながら、ハイパーテキストのリンクを辿って文書を閲覧したり、文書を連続的に拡大表示することができる。
【０００９】
特許文献２には、文書情報コンテンツ（以下、コンテンツ）を蓄積する蓄積部と、コンテンツ検索のためのコンテンツプロファイルを生成する生成部と、生成部により生成されたコンテンツプロファイルに基づいてコンテンツを指し示すリンク情報を含むサムネイルを配置するマップ配置決定部を備えると共に、マップ散策部、フィルタリング部及び提示部を備え、マップ散策部はマップ上でサムネイルのズームイン、ズームアウトやパン等の機能を提供し、フィルタリング部は特定条件と一致するサムネイルをマップ上に提示する共に、提示部は、サムネイルのクリック操作等に応じてコンテンツの概要と詳細を閲覧利用者に提示する文書情報コンテンツ閲覧システムが記載されている。このような特許文献２の文書情報コンテンツ閲覧システムによれば、閲覧利用者が地図上を散策するようなイメージで情報空間を散策しながら、文書情報コンテンツの概要及び詳細を閲覧できる。
【００１０】
特許文献３には、入力装置からの入力に応じてズーム状態決定手段でズーム状態を決定し、決定されたズーム状態に従いコンテンツレイアウト生成手段でコンテンツレイアウトを生成し、決定されたズーム状態および生成されたコンテンツレイアウトに従いメタ情報レイアウト生成手段でメタ情報レイアウトを動的に生成し、最後にコンテンツレイアウトと、メタ情報レイアウトと、ポインタを重畳し表示装置に表示するブラウザシステムが記載されている。このような特許文献３のブラウザシステムによれば、コンテンツレイアウトが動的に変化する場合でも、コンテンツレイアウトとメタ情報レイアウトの整合性を確保することができる。
【００１１】
【特許文献１】特開２０００−１７２２４８公報
【特許文献２】特開２００３−７６７１８公報
【特許文献３】特開２００３−３３０８５６公報
【発明の開示】
【発明が解決しようとする課題】
【００１２】
ところが、特許文献１の電子情報表示方法によれば、主として３次元仮想空間内のハイパーテキストの閲覧を想定して、ある電子情報をズーミングすることによって予め関連付けられた他の電子情報を所定の大きさで重ねて表示するが、それ以外のズーミング表示方法については言及されておらず、表示方法の柔軟性に欠けるという問題がある。
【００１３】
また、特許文献２の文書情報コンテンツ閲覧システムによれば、２次元平面状のコンテンツサムネイルを閲覧するのにズーミングメタファを利用しているが、表示される内容がサムネイルと内容キーワードに限定されていて、多種多様な情報のズーミングは考慮されていない。
【００１４】
さらに、特許文献３のブラウザシステムによれば、コンテンツレイアウトとメタ情報レイアウトの２種類のレイアウトを定義し、これにズーミングメタファを適用しているが、予めコンテンツとメタ情報の区分をしておく必要があり、データの準備・整理に手間がかかるという問題がある。
【００１５】
本発明は、コンテンツを閲覧する閲覧者側の表示の自由度を確保することができるコンテンツ閲覧システム、コンテンツサーバ、プログラムおよび記憶媒体を提供することを目的とする。
【００１６】
本発明は、コンテンツを編集する編集者側の負担の軽減化を図ることができるコンテンツ閲覧システム、コンテンツサーバ、プログラムおよび記憶媒体を提供することを目的とする。
【課題を解決するための手段】
【００１７】
請求項１記載の発明のコンテンツ閲覧システムは、入力部を介した閲覧者によるアクションの入力とコンテンツの閲覧を許容する閲覧手段と、前記入力部を介した編集者によるアクションの入力によりコンテンツの編集を許容する編集手段と、コンテンツを構成する各種のオブジェクトを格納するオブジェクト格納部と、オブジェクト間の関連情報を格納する関連情報格納部と、前記編集手段から取得した編集者のアクションに基づいてオブジェクト間の関連付けを行い、オブジェクト間の関連情報を前記関連情報格納部に格納する関連情報生成手段と、前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索手段と、このオブジェクト検索手段で検索したオブジェクトに基づいてコンテンツを形成して表示部に表示する表示制御手段と、を備える。
【００１８】
したがって、閲覧手段から取得した閲覧者のアクションと関連情報格納部に格納されているオブジェクト間の関連情報とに基づくオブジェクト表示変化の対象となるオブジェクトがオブジェクト格納部から検索され、検索されたオブジェクトに基づいてコンテンツが形成されて表示部に表示される。これにより、各種のオブジェクトの集合で構成されるコンテンツがオブジェクト表示変化により動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることが可能になる。また、コンテンツを閲覧する閲覧者側の表示の自由度を確保することが可能になる。
【００１９】
ここで、オブジェクト表示変化とは、オブジェクトの時間、空間、内容に関する詳細度の変化もしくはオブジェクトの表示メディア形式の変化である。
【００２０】
請求項２記載の発明は、請求項１記載のコンテンツ閲覧システムにおいて、オブジェクト検索手段は、前記表示部に表示されるオブジェクトの表示メディア形式を連続的かつ対話的に変化もしくは拡張させるオブジェクトを検索する。
【００２１】
したがって、オブジェクトの表示メディア形式を閲覧者の好みに制御することが可能になり、閲覧の自由度を確保することが可能になる。
【００２２】
ここで、オブジェクトの表示メディア形式の変化もしくは拡張は、メディアのシームレスな遷移である。より詳細には、ある情報の表示から、それに関連する異種メディア情報の表示への遷移を連続的に制御するものである。例えば、静止画像から動画像／音声への遷移である。
【００２３】
請求項３記載の発明は、請求項１記載のコンテンツ閲覧システムにおいて、前記オブジェクト検索手段は、前記表示部に表示されるオブジェクトの詳細度を連続的かつ対話的に変化させるオブジェクトを検索する。
【００２４】
したがって、オブジェクト間の表示バランスを閲覧者の好みに制御することが可能になり、閲覧の自由度を確保することが可能になる。
【００２５】
ここで、オブジェクトの詳細度の変化は、同種メディア内での、時間、空間、内容に関する詳細度を連続的に変化させるものである。例えば、静止画像のサイズ変更等である。
【００２６】
請求項４記載の発明は、請求項１記載のコンテンツ閲覧システムにおいて、前記オブジェクト検索手段は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する。
【００２７】
したがって、オブジェクトの表示メディア形式やオブジェクト間の表示バランスを閲覧者の好みに制御することが可能になり、閲覧の自由度を確保することが可能になる。
【００２８】
請求項５記載の発明は、請求項３または４記載のコンテンツ閲覧システムにおいて、前記関連情報格納部には、ある対象オブジェクトの詳細度の変化に従って同様の詳細度の変化をする別のオブジェクトが関連付けられており、前記オブジェクト検索手段は、ある対象オブジェクトの詳細度を次第に高く変化させる際に、異なる別のオブジェクトの詳細度も次第に高く変化させる、もしくは、ある対象オブジェクトの詳細度を次第に低く変化させる際に、異なる別のオブジェクトの詳細度も次第に低く変化させるオブジェクトを検索する。
【００２９】
したがって、オブジェクト間の詳細度を連動させて制御することが可能になり、コンテンツを編集する編集者側の負担の軽減化を図ることが可能になる。
【００３０】
請求項６記載の発明は、請求項３または４記載のコンテンツ閲覧システムにおいて、前記関連情報格納部には、ある対象オブジェクトの詳細度の変化に従って逆の詳細度の変化をする別のオブジェクトが関連付けられており、前記オブジェクト検索手段は、ある対象オブジェクトの詳細度を次第に高く変化させる際に、異なる別のオブジェクトの詳細度を次第に低く変化させる、もしくは、ある対象オブジェクトの詳細度を次第に低く変化させる際に、異なる別のオブジェクトの詳細度を次第に高く変化させるオブジェクトを検索する。
【００３１】
したがって、オブジェクト間の詳細度を逆方向に連動させて制御することが可能になり、コンテンツを編集する編集者側の負担の軽減化を図ることが可能になる。
【００３２】
請求項７記載の発明は、請求項３ないし５のいずれか一記載のコンテンツ閲覧システムにおいて、前記関連情報格納部には、ある対象オブジェクトの詳細度の変化に従って新たに現れる別のオブジェクトが関連付けられており、前記オブジェクト検索手段は、ある対象オブジェクトの詳細度を変化させる際に、少なくとも１以上の新たなオブジェクトを検索する。
【００３３】
したがって、オブジェクトの詳細度の変化に従って少なくとも１以上の新たなオブジェクトを表示することが可能になり、コンテンツを編集する編集者側の負担の軽減化を図ることが可能になる。
【００３４】
請求項８記載の発明は、請求項２記載のコンテンツ閲覧システムにおいて、前記関連情報格納部には、ある対象オブジェクトのメディア形式の変化もしくは拡張に従って新たに現れる別のオブジェクトが関連付けられており、前記オブジェクト検索手段は、ある対象オブジェクトのメディア形式の変化もしくは拡張させる際に、少なくとも１以上の新たなオブジェクトを検索する。
【００３５】
したがって、オブジェクトの詳細度の変化に従って少なくとも１以上の新たなオブジェクトを表示することが可能になり、コンテンツを編集する編集者側の負担の軽減化を図ることが可能になる。
【００３６】
請求項９記載の発明は、請求項７または８記載のコンテンツ閲覧システムにおいて、新たに現れるオブジェクトの位置は、対象オブジェクトの近傍に設定される。
【００３７】
したがって、コンテンツの編集者はオブジェクトの位置決めを厳密に行う必要がなくなるので、編集の手間が省ける。
【００３８】
請求項１０記載の発明は、請求項１ないし９のいずれか一記載のコンテンツ閲覧システムにおいて、前記表示制御手段による表示制御対象の対象オブジェクトは階層的に構成されており、階層単位で表示制御される。
【００３９】
したがって、着目部分の周囲の情報が一緒に見えるので周囲や全体との関係が分かりやすくなる。
【００４０】
請求項１１記載の発明は、請求項１ないし１０のいずれか一記載のコンテンツ閲覧システムにおいて、前記表示制御手段は、表示制御対象の対象オブジェクトの選択に際し、当該対象オブジェクトを枠線で囲って表示する。
【００４１】
したがって、オブジェクトの階層構造が明らかになるとともに、オブジェクト表示変化の対象領域（どこがオブジェクト表示変化可能か）が分かりやすくなる。
【００４２】
請求項１２記載の発明は、請求項１１または１２記載のコンテンツ閲覧システムにおいて、請求項１１記載のコンテンツ閲覧システムにおいて、前記表示制御手段は、表示制御対象の対象オブジェクトの選択に際し、当該対象オブジェクトの上位階層のオブジェクトを囲む枠線も表示する。
【００４３】
したがって、上位階層のオブジェクトを対象にオブジェクト表示変化が可能であることが分かるようになる。
【００４４】
請求項１３記載の発明は、請求項１１または１２記載のコンテンツ閲覧システムにおいて、前記表示制御手段は、表示制御対象の対象オブジェクトの選択に際し、当該対象オブジェクトの下位階層のオブジェクトを囲む枠線も表示する。
【００４５】
したがって、対象オブジェクトの下位階層単位でのオブジェクト表示変化が可能であることが分かるようになる。
【００４６】
請求項１４記載の発明は、請求項１２または１３記載のコンテンツ閲覧システムにおいて、前記表示制御手段は、表示制御対象の対象オブジェクトを囲む枠線と対象オブジェクト以外のオブジェクトを囲む枠線とを、視覚的に区別可能に表示する。
【００４７】
したがって、対象オブジェクトを確実に識別することが可能になる。
【００４８】
請求項１５記載の発明は、請求項１ないし１４記載のコンテンツ閲覧システムにおいて、前記関連情報格納部には、前記閲覧手段におけるコンテンツの閲覧の際の初期画面を構成するオブジェクトの組が閲覧側の機器の種類に応じて複数定められており、前記オブジェクト検索手段は、閲覧側の機器の種類に応じた適切なオブジェクトの組を前記関連情報格納部から検索する。
【００４９】
したがって、閲覧に利用している機器に応じてコンテンツの閲覧の際の初期画面を変えることで、状況に応じた最適な情報を迅速に入手することが可能になる。
【００５０】
請求項１６記載の発明は、請求項１ないし１４記載のコンテンツ閲覧システムにおいて、前記関連情報格納部には、前記閲覧手段におけるコンテンツの閲覧の際の初期画面を構成するオブジェクトの組が閲覧者の属性に応じて複数定められており、前記オブジェクト検索手段は、閲覧者の属性に応じた適切なオブジェクトの組を前記関連情報格納部から検索する。
【００５１】
したがって、閲覧者の属性に応じてコンテンツの閲覧の際の初期画面を変えることで、状況に応じた最適な情報を迅速に入手することが可能になる。
【００５２】
請求項１７記載の発明は、請求項１ないし１６記載のコンテンツ閲覧システムにおいて、前記関連情報格納部には、オブジェクトに対するオブジェクト表示変化の履歴が閲覧者に対応付けて格納されており、前記オブジェクト検索手段は、前記関連情報格納部に格納されているオブジェクトに対するオブジェクト表示変化の履歴に基づいてオブジェクトを前記関連情報格納部から検索する。
【００５３】
したがって、オブジェクトに対するオブジェクト表示変化の履歴を保存することにより閲覧履歴（結果）を再現することが可能になるので、同じオブジェクト表示変化操作を繰り返す手間が省ける。
【００５４】
請求項１８記載の発明のコンテンツサーバは、入力部を介した閲覧者によるアクションの入力とコンテンツの閲覧を許容する閲覧手段と、前記入力部を介した編集者によるアクションの入力によりコンテンツの編集を許容する編集手段との少なくとも一方を備えるクライアントに接続されるコンテンツサーバにおいて、コンテンツを構成する各種のオブジェクトを格納するオブジェクト格納部と、オブジェクト間の関連情報を格納する関連情報格納部と、前記編集手段から取得した編集者のアクションに基づいてオブジェクト間の関連付けを行い、オブジェクト間の関連情報を前記関連情報格納部に格納する関連情報生成手段と、前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索手段と、前記閲覧手段から取得した閲覧者のアクションと前記関連情報格納部に格納されているオブジェクト間の関連情報とに基づいて、前記オブジェクト検索手段で検索したオブジェクトに基づいてコンテンツを形成して表示部に表示する表示制御手段と、を備える。
【００５５】
したがって、閲覧手段から取得した閲覧者のアクションと関連情報格納部に格納されているオブジェクト間の関連情報とに基づくオブジェクト表示変化の対象となるオブジェクトがオブジェクト格納部から検索され、検索されたオブジェクトに基づいてコンテンツが形成されて表示部に表示される。これにより、各種のオブジェクトの集合で構成されるコンテンツがオブジェクト表示変化により動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることが可能になる。また、コンテンツを閲覧する閲覧者側の表示の自由度を確保することが可能になる。
【００５６】
請求項１９記載の発明は、請求項１８記載のコンテンツサーバにおいて、前記オブジェクト検索手段は、前記閲覧手段から取得した閲覧者のアクションと前記関連情報格納部に格納されているオブジェクト間の関連情報とに基づいて前記表示部に表示されるオブジェクトの表示メディア形式を連続的かつ対話的に変化もしくは拡張させるオブジェクトを検索する。
【００５７】
したがって、オブジェクトの表示メディア形式を閲覧者の好みに制御することが可能になり、閲覧の自由度を確保することが可能になる。
【００５８】
請求項２０記載の発明は、請求項１８記載のコンテンツサーバにおいて、前記オブジェクト検索手段は、前記閲覧手段から取得した閲覧者のアクションと前記関連情報格納部に格納されているオブジェクト間の関連情報とに基づいて前記表示部に表示されるオブジェクトの詳細度を連続的かつ対話的に変化させるオブジェクトを検索する。
【００５９】
したがって、オブジェクト間の表示バランスを閲覧者の好みに制御することが可能になり、閲覧の自由度を確保することが可能になる。
【００６０】
請求項２１記載の発明は、請求項１８記載のコンテンツサーバにおいて、前記オブジェクト検索手段は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する。
【００６１】
したがって、オブジェクトの表示メディア形式やオブジェクト間の表示バランスを閲覧者の好みに制御することが可能になり、閲覧の自由度を確保することが可能になる。
【００６２】
請求項２２記載の発明は、請求項２０または２１記載のコンテンツサーバにおいて、前記関連情報格納部には、ある対象オブジェクトの詳細度の変化に従って同様の詳細度の変化をする別のオブジェクトが関連付けられており、前記オブジェクト検索手段は、ある対象オブジェクトの詳細度を次第に高く変化させる際に、異なる別のオブジェクトの詳細度も次第に高く変化させる、もしくは、ある対象オブジェクトの詳細度を次第に低く変化させる際に、異なる別のオブジェクトの詳細度も次第に低く変化させるオブジェクトを検索する。
【００６３】
したがって、オブジェクト間の詳細度を連動させて制御することが可能になり、コンテンツを編集する編集者側の負担の軽減化を図ることが可能になる。
【００６４】
請求項２３記載の発明は、請求項２０または２１記載のコンテンツサーバにおいて、前記関連情報格納部には、ある対象オブジェクトの詳細度の変化に従って逆の詳細度の変化をする別のオブジェクトが関連付けられており、前記オブジェクト検索手段は、ある対象オブジェクトの詳細度を次第に高く変化させる際に、異なる別のオブジェクトの詳細度を次第に低く変化させる、もしくは、ある対象オブジェクトの詳細度を次第に低く変化させる際に、異なる別のオブジェクトの詳細度を次第に高く変化させるオブジェクトを検索する。
【００６５】
したがって、オブジェクト間の詳細度を逆方向に連動させて制御することが可能になり、コンテンツを編集する編集者側の負担の軽減化を図ることが可能になる。
【００６６】
請求項２４記載の発明は、請求項２０ないし２２のいずれか一記載のコンテンツサーバにおいて、前記関連情報格納部には、ある対象オブジェクトの詳細度の変化に従って新たに現れる別のオブジェクトが関連付けられており、前記オブジェクト検索手段は、ある対象オブジェクトの詳細度を変化させる際に、少なくとも１以上の新たなオブジェクトを表示する検索する。
【００６７】
したがって、オブジェクトの詳細度の変化に従って少なくとも１以上の新たなオブジェクトを表示することが可能になり、コンテンツを編集する編集者側の負担の軽減化を図ることが可能になる。
【００６８】
請求項２５記載の発明は、請求項１９記載のコンテンツサーバにおいて、前記関連情報格納部には、ある対象オブジェクトのメディア形式の変化もしくは拡張に従って新たに現れる別のオブジェクトが関連付けられており、前記表示制御手段は、ある対象オブジェクトのメディア形式の変化もしくは拡張させる際に、少なくとも１以上の新たなオブジェクトを表示する。
【００６９】
したがって、オブジェクトの詳細度の変化に従って少なくとも１以上の新たなオブジェクトを表示することが可能になり、コンテンツを編集する編集者側の負担の軽減化を図ることが可能になる。
【００７０】
請求項２６記載の発明は、請求項２４または２５記載のコンテンツサーバにおいて、新たに現れるオブジェクトの位置は、対象オブジェクトの近傍に設定される。
【００７１】
したがって、コンテンツの編集者はオブジェクトの位置決めを厳密に行う必要がなくなるので、編集の手間が省ける。
【００７２】
請求項２７記載の発明は、請求項１８ないし２６のいずれか一記載のコンテンツサーバにおいて、前記表示制御手段による表示制御対象の対象オブジェクトは階層的に構成されており、階層単位で表示制御される。
【００７３】
したがって、着目部分の周囲の情報が一緒に見えるので周囲や全体との関係が分かりやすくなる。
【００７４】
請求項２８記載の発明は、請求項１８ないし２７のいずれか一記載のコンテンツサーバにおいて、前記表示制御手段は、表示制御対象の対象オブジェクトの選択に際し、当該対象オブジェクトを枠線で囲って表示する。
【００７５】
したがって、オブジェクトの階層構造が明らかになるとともに、オブジェクト表示変化の対象領域（どこがオブジェクト表示変化可能か）が分かりやすくなる。
【００７６】
請求項２９記載の発明は、請求項２８記載のコンテンツサーバにおいて、前記表示制御手段は、表示制御対象の対象オブジェクトの選択に際し、当該対象オブジェクトの上位階層のオブジェクトを囲む枠線も表示する。
【００７７】
したがって、上位階層のオブジェクトを対象にオブジェクト表示変化が可能であることが分かるようになる。
【００７８】
請求項３０記載の発明は、請求項２８または２９記載のコンテンツサーバにおいて、前記表示制御手段は、表示制御対象の対象オブジェクトの選択に際し、当該対象オブジェクトの下位階層のオブジェクトを囲む枠線も表示する。
【００７９】
したがって、対象オブジェクトの下位階層単位でのオブジェクト表示変化が可能であることが分かるようになる。
【００８０】
請求項３１記載の発明は、請求項２９または３０記載のコンテンツサーバにおいて、前記表示制御手段は、表示制御対象の対象オブジェクトを囲む枠線と対象オブジェクト以外のオブジェクトを囲む枠線とを、視覚的に区別可能に表示する。
【００８１】
したがって、対象オブジェクトを確実に識別することが可能になる。
【００８２】
請求項３２記載の発明は、請求項１８ないし３１記載のコンテンツサーバにおいて、前記関連情報格納部には、前記閲覧手段におけるコンテンツの閲覧の際の初期画面を構成するオブジェクトの組が閲覧側の機器の種類に応じて複数定められており、前記オブジェクト検索手段は、閲覧側の機器の種類に応じた適切なオブジェクトの組を前記関連情報格納部から検索する。
【００８３】
したがって、閲覧に利用している機器に応じてコンテンツの閲覧の際の初期画面を変えることで、状況に応じた最適な情報を迅速に入手することが可能になる。
【００８４】
請求項３３記載の発明は、請求項１８ないし３１記載のコンテンツサーバにおいて、前記関連情報格納部には、前記閲覧手段におけるコンテンツの閲覧の際の初期画面を構成するオブジェクトの組が閲覧者の属性に応じて複数定められており、前記オブジェクト検索手段は、閲覧者の属性に応じた適切なオブジェクトの組を前記関連情報格納部から検索する。
【００８５】
したがって、閲覧者の属性に応じてコンテンツの閲覧の際の初期画面を変えることで、状況に応じた最適な情報を迅速に入手することが可能になる。
【００８６】
請求項３４記載の発明は、請求項１８ないし３３記載のコンテンツサーバにおいて、前記関連情報格納部には、オブジェクトに対するオブジェクト表示変化の履歴が閲覧者に対応付けて格納されており、前記オブジェクト検索手段は、前記関連情報格納部に格納されているオブジェクトに対するオブジェクト表示変化の履歴に基づいてオブジェクトを前記関連情報格納部から検索する。
【００８７】
したがって、オブジェクトに対するオブジェクト表示変化の履歴を保存することにより閲覧履歴（結果）を再現することが可能になるので、同じオブジェクト表示変化操作を繰り返す手間が省ける。
【００８８】
請求項３５記載の発明のコンピュータに読取り可能なプログラムは、入力部を介した閲覧者によるアクションの入力とコンテンツの閲覧を許容する閲覧機能と、前記入力部を介した編集者によるアクションの入力によりコンテンツの編集を許容する編集機能と、コンテンツを構成する各種のオブジェクトを格納するオブジェクト格納部を形成する機能と、オブジェクト間の関連情報を格納する関連情報格納部を形成する機能と、前記編集機能から取得した編集者のアクションに基づいてオブジェクト間の関連付けを行い、オブジェクト間の関連情報を前記関連情報格納部に格納する関連情報生成機能と、前記閲覧機能から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索機能と、このオブジェクト検索機能で検索したオブジェクトに基づいてコンテンツを形成して表示部に表示する表示制御機能と、をコンピュータに実行させる。
【００８９】
したがって、閲覧機能から取得した閲覧者のアクションと関連情報格納部に格納されているオブジェクト間の関連情報とに基づくオブジェクト表示変化の対象となるオブジェクトがオブジェクト格納部から検索され、検索されたオブジェクトに基づいてコンテンツが形成されて表示部に表示される。これにより、各種のオブジェクトの集合で構成されるコンテンツがオブジェクト表示変化により動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることが可能になる。また、コンテンツを閲覧する閲覧者側の表示の自由度を確保することが可能になる。
【００９０】
請求項３６記載の発明は、請求項３５記載のプログラムにおいて、前記オブジェクト検索機能は、前記表示部に表示されるオブジェクトの表示メディア形式を連続的かつ対話的に変化もしくは拡張させるオブジェクトを検索する。
【００９１】
したがって、オブジェクトの表示メディア形式を閲覧者の好みに制御することが可能になり、閲覧の自由度を確保することが可能になる。
【００９２】
請求項３７記載の発明は、請求項３５記載のプログラムにおいて、前記オブジェクト検索機能は、前記閲覧機能から取得した閲覧者のアクションと前記関連情報格納部に格納されているオブジェクト間の関連情報とに基づいて前記表示部に表示されるオブジェクトの詳細度を連続的かつ対話的に変化させるオブジェクトを検索する。
【００９３】
したがって、オブジェクト間の表示バランスを閲覧者の好みに制御することが可能になり、閲覧の自由度を確保することが可能になる。
【００９４】
請求項３８記載の発明は、請求項３５記載のプログラムにおいて、前記オブジェクト検索機能は、前記閲覧機能から取得した閲覧者のアクションと前記関連情報格納部に格納されているオブジェクト間の関連情報とに基づいて前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する。
【００９５】
したがって、オブジェクトの表示メディア形式やオブジェクト間の表示バランスを閲覧者の好みに制御することが可能になり、閲覧の自由度を確保することが可能になる。
【００９６】
請求項３９記載の発明のプログラムは、入力部を介した閲覧者によるアクションの入力とコンテンツの閲覧を許容する閲覧手段と、前記入力部を介した編集者によるアクションの入力によりコンテンツの編集を許容する編集手段との少なくとも一方を備えるクライアントに接続されるコンテンツサーバを制御するコンピュータに読取可能なプログラムであって、コンテンツを構成する各種のオブジェクトを格納するオブジェクト格納部を形成する機能と、オブジェクト間の関連情報を格納する関連情報格納部を形成する機能と、前記編集手段から取得した編集者のアクションに基づいてオブジェクト間の関連付けを行い、オブジェクト間の関連情報を前記関連情報格納部に格納する関連情報生成機能と、前記閲覧手段から取得した閲覧者のアクションと前記関連情報格納部に格納されているオブジェクト間の関連情報とに基づくオブジェクト表示変化の対象となるオブジェクトを前記オブジェクト格納部から検索するオブジェクト検索機能と、このオブジェクト検索機能で検索したオブジェクトに基づいてコンテンツを形成して表示部に表示する表示制御機能と、を前記コンピュータに実行させる。
【００９７】
したがって、閲覧手段から取得した閲覧者のアクションと関連情報格納部に格納されているオブジェクト間の関連情報とに基づくオブジェクト表示変化の対象となるオブジェクトがオブジェクト格納部から検索され、検索されたオブジェクトに基づいてコンテンツが形成されて表示部に表示される。これにより、各種のオブジェクトの集合で構成されるコンテンツがオブジェクト表示変化により動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることが可能になる。また、コンテンツを閲覧する閲覧者側の表示の自由度を確保することが可能になる。
【００９８】
請求項４０記載の発明は、請求項３９記載のプログラムにおいて、前記オブジェクト検索機能は、前記表示部に表示されるオブジェクトの表示メディア形式を連続的かつ対話的に変化もしくは拡張させるオブジェクトを検索する。
【００９９】
したがって、オブジェクトの表示メディア形式を閲覧者の好みに制御することが可能になり、閲覧の自由度を確保することが可能になる。
【０１００】
請求項４１記載の発明は、請求項３９記載のプログラムにおいて、前記オブジェクト検索機能は、前記閲覧手段から取得した閲覧者のアクションと前記関連情報格納部に格納されているオブジェクト間の関連情報とに基づいて前記表示部に表示されるオブジェクトの詳細度を連続的かつ対話的に変化させるオブジェクトを検索する。
【０１０１】
したがって、オブジェクト間の表示バランスを閲覧者の好みに制御することが可能になり、閲覧の自由度を確保することが可能になる。
【０１０２】
請求項４２記載の発明は、請求項３９記載のプログラムにおいて、前記オブジェクト検索機能は、前記表示部に表示されるオブジェクトの詳細度を連続的かつ対話的に変化させ、かつ、前記表示部に表示されるオブジェクトの表示メディア形式を連続的かつ対話的に変化もしくは拡張させるオブジェクトを検索する。
【０１０３】
したがって、オブジェクトの表示メディア形式やオブジェクト間の表示バランスを閲覧者の好みに制御することが可能になり、閲覧の自由度を確保することが可能になる。
【０１０４】
請求項４３記載の発明の記憶媒体は、請求項３５ないし３８のいずれか一記載のプログラムを記憶する。
【０１０５】
したがって、請求項３５ないし３８のいずれか一記載のプログラムを有体物の形態で取り扱うことが可能となる。
【０１０６】
請求項４４記載の発明の記憶媒体は、請求項３９ないし４２のいずれか一記載のプログラムを記憶する。
【０１０７】
したがって、請求項３９ないし４２のいずれか一記載のプログラムを有体物の形態で取り扱うことが可能となる。
【発明の効果】
【０１０８】
本発明によれば、コンテンツ閲覧時の効用として、まず表示の自由度の存在がある。詳細度や異種メディア間の表示バランスを好みによって制御できるし、初期画面やズームの方向の設定を変えることで、閲覧者や閲覧機器に応じた表示ができる。また、着目部分と周辺の情報が同一ページ内に一緒に表示されるので、これら相互の関係が分かりやすく、閲覧の文脈が一望できる。さらに閲覧履歴（結果）を保存すれば、閲覧途中からの再現や閲覧者独自の初期画面の設定も容易に実現できる。
【０１０９】
本発明によれば、コンテンツ作成時の効用として、閲覧時にオブジェクト表示変化により画面が動的に変化するので予め固定的なレイアウトを作りこむ必然性や重要性が低くなり、また、関連情報が同一ページに表示されるので複数ページを一つ一つ作成しなくてよい。よって、情報間の関連付けや閲覧時におけるレイアウトの適当な自動設定がなされるという前提の下で、コンテンツ作成の手間を減ずる効果がある。
【発明を実施するための最良の形態】
【０１１０】
［第一の実施の形態］
本発明の第一の実施の形態を図１ないし図２１に基づいて説明する。
【０１１１】
図１は、本実施の形態におけるシステム構築例を示す模式図である。本実施の形態のコンテンツ閲覧システムでは、サーバコンピュータ（コンテンツサーバ）ＳにＬＡＮ（Local Area Network）等のネットワークＮを介してクライアントコンピュータ（クライアント）Ｃが複数台接続されたサーバクライアントシステムを想定する。サーバコンピュータＳは、クライアントコンピュータＣのためにサービスを行うコンピュータであり、クライアントコンピュータＣは、ユーザが操作してサービスを受けるコンピュータである。このようなサーバコンピュータＳ及びクライアントコンピュータＣは、一般的なパーソナルコンピュータである。
【０１１２】
図２は一般的又は標準的なパーソナルコンピュータ１のハードウェアの構成図である。パーソナルコンピュータ（以下、コンピュータと略す。）１は、情報処理を行うＣＰＵ（Central Processing Unit）２と、ＢＩＯＳ（Basic Input Output System）等を格納するＲＯＭ（Read Only Memory）３と、情報を処理中に一時的に格納するＲＡＭ（Random Access Memory）４等の一次記憶装置と、アプリケーションプログラムや処理結果等を保存する記憶手段であるＨＤＤ（Hard Disk Drive）５等の二次記憶装置と、情報を外部に保管又は配布し若しくは情報（アプリケーションプログラム等）を外部から入手するための記憶媒体であるリムーバブルメディア６のドライブ６ａと、外部の他のコンピュータ１′，…と通信するためのネットワークＮに接続するためのネットワークインタフェース８と、処理経過や処理結果等をユーザに表示する表示部であるディスプレイ９と、操作者がコンピュータ１に命令や情報等を入力するためのキーボード１０やマウス１１等の入力部とから構成され、これらの間のデータ通信をバスコントローラ１２が調停して動作している。
【０１１３】
なお、リムーバブルメディア６としては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【０１１４】
データ送信は、コンピュータ１のネットワークインタフェース８へとデータを送ることにより、ネットワークインタフェース８がネットワークＮへと信号を出力する。また、ネットワークインタフェース８が受け取った信号については、ネットワークインタフェース８において必要かどうかの判断がなされ、必要なデータであれば取り込み、不必要であれば破棄する、というような処理が行われる。すなわち、あらゆるデータの送受信は、すべてネットワークインタフェース８を経由して行われることになる。
【０１１５】
一般的に、このようなコンピュータ１ではユーザが電源を投入すると、ＣＰＵ２はＲＯＭ３内のＢＩＯＳに含まれるローダーというプログラムを起動させ、ＨＤＤ５からオペレーティングシステム（ＯＳ）という当該コンピュータ１のハードウェアとソフトウェアとを管理するプログラムをＲＡＭ４に読み込む。ＯＳは起動すると、ユーザの操作に応じてアプリケーションプログラムの起動、情報の読み込み、保存等をサポートする。代表的なＯＳとしては、Windows（Microsoft Corporationの登録商標）、ＵＮＩＸ（Ｘ/Open, Inc.の登録商標）等が知られている。これらのＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【０１１６】
ここで、コンピュータ１（サーバコンピュータＳ及びクライアントコンピュータＣ）は、アプリケーションプログラムとして、マルチメディアコンテンツ閲覧プログラムをＨＤＤ５に記憶している。この意味で、ＨＤＤ５は、マルチメディアコンテンツ閲覧プログラムを記憶する記憶媒体として機能する。なお、本実施の形態におけるマルチメディアコンテンツ閲覧プログラムは、HTML＋TIMEとJavaScript（Sun Microsystems,Inc.の登録商標）とDynamicHTMLとを組み合わせて生成されている。
【０１１７】
また、一般的には、コンピュータ１のＨＤＤ５にインストールされるアプリケーションプログラムは、リムーバブルメディア６に記録され、このリムーバブルメディア６に記録されたアプリケーションプログラムがＨＤＤ５にインストールされる。このため、リムーバブルメディア６も、マルチメディアコンテンツ閲覧プログラムを記憶する記憶媒体となり得る。さらには、マルチメディアコンテンツ閲覧プログラムは、例えばネットワークインタフェース８を介して外部から取り込まれ、ＨＤＤ５にインストールされても良い。
【０１１８】
コンピュータ１（サーバコンピュータＳ及びクライアントコンピュータＣ）は、ＯＳ上で動作するマルチメディアコンテンツ閲覧プログラムが起動すると、このマルチメディアコンテンツ閲覧プログラムに従い、ＣＰＵ２が各種の演算処理を実行して各部を集中的に制御する。コンピュータ１（サーバコンピュータＳ及びクライアントコンピュータＣ）のＣＰＵ２が実行する各種の演算処理のうち、本実施の形態の特長的な処理であるマルチメディアコンテンツ閲覧処理について以下に説明する。概略的には、本実施の形態のマルチメディアコンテンツ閲覧処理は、ズーミングメタファを採用して、テキストのみの初期画面からズームインすると、より詳細なテキスト情報や会議参加者の写真、討議状況を撮影した動画像／音声等を閲覧できるようにしたものである。  
【０１１９】
図３は、サーバコンピュータＳ及びクライアントコンピュータＣの機能構成を示すブロック図である。図３に示すように、コンピュータ１（サーバコンピュータＳ）は、ＣＰＵ２がＯＳ上で動作するマルチメディアコンテンツ閲覧プログラムに従うことにより、オブジェクト格納部２１と、オブジェクト検索手段として機能するオブジェクト検索部２２と、表示制御手段として機能する表示制御部２３と、関連情報格納部２４と、関連情報生成手段として機能する関連情報生成部２５とをコンピュータ１（サーバコンピュータＳ）上に実現する。また、コンピュータ１（クライアントコンピュータＣ）は、ＣＰＵ２がＯＳ上で動作するマルチメディアコンテンツ閲覧プログラムに従うことにより、閲覧手段として機能する閲覧者Ｉ／Ｆ２６と、編集手段として機能する編集者Ｉ／Ｆ２７とをコンピュータ１（クライアントコンピュータＣ）上に実現する。
【０１２０】
閲覧者Ｉ／Ｆ２６は、マルチメディアコンテンツ（報告書、議事録、メモ等）を閲覧するための閲覧者用のブラウザである。
【０１２１】
編集者Ｉ／Ｆ２７は、マルチメディアコンテンツ（報告書、議事録、メモ等）を編集するための編集者用エディタである。
【０１２２】
オブジェクト格納部２１は、マルチメディアコンテンツ（報告書、議事録、メモ等）を構成する各種のオブジェクト（テキスト、静止画、動画等）を格納する手段であり、例えばＨＤＤ５に形成される。
【０１２３】
関連情報格納部２４は、オブジェクト（テキスト、静止画、動画等）間の関連情報を格納する手段であり、例えばＨＤＤ５に形成される。また、関連情報格納部２４は、閲覧に供されたオブジェクト（テキスト、静止画、動画等）を閲覧結果として閲覧者に対応付けて記憶する。
【０１２４】
オブジェクト検索部２２は、閲覧者Ｉ／Ｆ２６から取得した閲覧者のアクションと関連情報格納部２４に格納されているオブジェクト間の関連情報に基づいて、表示すべきオブジェクトをオブジェクト格納部２１から検索する手段である。
【０１２５】
表示制御部２３は、閲覧者Ｉ／Ｆ２６から取得した閲覧者のアクションと関連情報格納部２４に格納されているオブジェクト間の関連情報に基づいて、ディスプレイ９に表示するオブジェクトの表示／非表示や詳細度の設定、オブジェクト表示位置の自動設定、オブジェクト周囲の枠線の表示等を制御する手段である。
【０１２６】
関連情報生成部２５は、オブジェクト間の関連付けを行う手段である。システムが自動的に関連付けを行う場合もあれば、人手による関連付けを支援するエディタ（編集者Ｉ／Ｆ２７）を制御する場合もある。関連情報生成部２５で生成されたオブジェクト間の関連情報は、関連情報格納部２４に格納される。
【０１２７】
ここで、図４はディスプレイ９に表示されるマルチメディアコンテンツの一例を示す正面図である。図４に示す例は、マルチメディアコンテンツとして「出張報告」を適用した例である。図４に示すマルチメディアコンテンツは、オブジェクトとしてテキストを主体に構成されている。
【０１２８】
このような図４に示すマルチメディアコンテンツ上にマウス１１によりマウスカーソルＸを重ねた状態を図５に示す。なお、図５におけるＡ，Ｂ，Ｃ，・・・のアルファベットは、説明用に各オブジェクトを識別するための記号で、実際の画面上には現れない。
【０１２９】
図５に示すように、マウスカーソルＸが重ねられている枠線で囲まれたオブジェクトＨは、詳細度もしくは表示メディア形式の変化等のオブジェクト表示変化（以後、ズーミングと呼ぶ）の対象となるオブジェクトである。ズーミングは、２つの意味で定義される。第１には、メディアの詳細度のシームレスな変化である。より詳細には、同種メディア内での、時間、空間、内容に関する詳細度を連続的に変化させるものである。例えば、静止画像のサイズ変更等である。第２には、表現メディアのシームレスな遷移である。より詳細には、ある情報の表示から、それに関連する異種メディア情報の表示への遷移を連続的に制御するものである。例えば、静止画像から動画像／音声への遷移である。実際には、この両者が同時に併用される場合もある。
【０１３０】
一方、枠線で囲まれたオブジェクトＥ，Ｆは、オブジェクトＨの上位階層のオブジェクトである。さらに、特にアルファベットは付していないが、Ｈの内部で枠線で囲まれた各オブジェクトは、Ｈの下位階層のオブジェクトである。
【０１３１】
上述したような枠線は、その単位でズーミングが行えることも示す。図５に示した例では、オブジェクトＨだけでなく、その上位階層のオブジェクトＥもしくはオブジェクトＦ全体を対象にズーミングが可能であるし、一方、オブジェクトＨ内部の枠線で囲まれた各小部分単位でのズーミングもできる。このように、枠線を利用することにより、オブジェクトの階層構造が明らかになるとともに、ズーミングの対象領域（どこがズーミング可能か）が分かりやすくなっている。
【０１３２】
すなわち、ズーミングの対象領域（対象オブジェクト）は、マウスカーソルＸのフォーカスを当てることにより指定される。領域は階層的に構成され、それぞれ枠線で表示される。なお、指定された領域は、背景色や枠線の色、枠線の形等を変えるようにしても良い。また、本実施の形態においては、ズーミングの対象領域（対象オブジェクト）を指定した後、マウス１１をドラッグすることによりズーミング動作が行われる。例えば、マウス１１をディスプレイ９の表示面下方にドラッグした場合はズームイン、マウス１１をディスプレイ９の表示面上方にドラッグした場合はズームアウトである。
【０１３３】
ここで、閲覧者によるズーミング動作について説明する。一例として、図５に示すマルチメディアコンテンツのオブジェクトＨのズームイン操作について説明する。また、関連情報格納部２４には、図６，７，８，９に示すようなオブジェクト間の関連情報が記述されている。図６によれば、オブジェクトＥ，Ｆ，Ｇ，Ｉ，Ｊ，Ｋ，・・・の詳細度がオブジェクトＨの詳細度の変化と連動すると言う関連付けがなされている。つまり、オブジェクトＨをズームインして詳細度を高くするとオブジェクトＥ，Ｆ，Ｇ，Ｉ，Ｊ，Ｋ，・・・の詳細度も高くなるということである。一方、図７によれば、オブジェクトＡ，Ｂ，Ｃ，Ｄ，・・・の詳細度がオブジェクトＨの詳細度と逆方向に変化すると言う関連付けがなされている。つまり、オブジェクトＨをズームインして詳細度を高くするとオブジェクトＡ，Ｂ，Ｃ，Ｄ，・・・の詳細度は低くなる。また、図８によれば、オブジェクトＨをズームインすると新たなオブジェクトＬを表示する関連付けがなされている。さらに、図９によれば、オブジェクトＬをズームインしていくと新たなオブジェクトＭに変化する関連付けがなされている。
【０１３４】
図５に示すマルチメディアコンテンツのオブジェクトＨに対してズームイン操作を行った結果を図１０に示す。マルチメディアコンテンツのオブジェクトＨに対してズームイン操作を行った場合、オブジェクトＨのフォントが拡大されると同時に、オブジェクトＥ，Ｆ，Ｇ，Ｉ，Ｊ，Ｋ，・・・のフォントも拡大されているが、オブジェクトＡ，Ｂ，Ｃ，Ｄ，・・・のフォントは逆に縮小されている。さらに、新たなオブジェクトＬがオブジェクトＨの下部分に表示されており、しかもその周囲に枠線が現れている。これはオブジェクトＬがオブジェクトＨの下位階層であり、かつ、新たなオブジェクトＬ単独でズーミング対象となりえることを示す。ここで、新たなオブジェクトＬは、オブジェクトＨに関連する討議がなされていた時点での討議風景を撮影した写真の静止画像である。加えて、図１０に示すマルチメディアコンテンツのオブジェクトＬのみを選択してズームインすると、静止画像の詳細度が高くなる（画像サイズが拡大する）。さらにオブジェクトＬをズームインしていくと、図１１に示すように、新たなオブジェクトＭに変化する。新たなオブジェクトＭは、静止画像であるオブジェクトＬに関連付けられた動画像である。つまり、オブジェクトＬをズームインしていき、あるサイズにまで拡大すると、動画像（と音声）の再生が開始されるのである。オブジェクトＬはもともとオブジェクトＨに関連付けられていたので（図８参照）、オブジェクトＭはオブジェクトＨに関連する討議がなされていた時点での討議風景を撮影した動画像（と音声）である。
【０１３５】
なお、図６，７，８，９の関連は予め付けられているものであるが、それは、システムによって自動的に付けられたものもあれば、人手で関連付けられたものもある。また、オブジェクトＬの表示位置は人手で設定されたものではなく、オブジェクトＨの表示位置を基に、その近傍の適当な位置をシステムで自動的に算出して決定したものである。こうすることにより、コンテンツの編集者はオブジェクトの位置決めを厳密に行う必要がなくなるので、編集の手間が省ける。
【０１３６】
次に、別の一例として、図１２に示すマルチメディアコンテンツのオブジェクトＨの下位のオブジェクトＮのズームイン操作について説明する。マルチメディアコンテンツのオブジェクトＮに対してズームイン操作を行うと、図８によれば、新たなオブジェクトＯ，Ｐが現れる。図１２に示すマルチメディアコンテンツのオブジェクトＮに対してズームイン操作を行った結果を図１３に示す。図１３に示すように、閲覧者のズームイン操作によって、より詳細な説明文であるオブジェクトＯとオブジェクトＮに関連する討議風景の静止画像であるオブジェクトＰがオブジェクトＮの下位階層のオブジェクトとして現れている。オブジェクトＯ，Ｐの位置は、システムによって適当に算出されたものである。
【０１３７】
ここで、上述したような図１２から図１３への変化に対応するマルチメディアコンテンツ閲覧処理の流れについて図１４のフローチャートを参照して説明する。図１４に示すように、閲覧者が閲覧者Ｉ／Ｆ２６を介してズーミングの対象領域（対象オブジェクト）Ｎを指定したことを検出し（ステップＳ１）、閲覧者が閲覧者Ｉ／Ｆ２６を介して対象領域（対象オブジェクト）Ｎをズームインしたことを検出すると（ステップＳ２）、閲覧者Ｉ／Ｆ２６は対象領域（対象オブジェクト）Ｎのズームイン要求を表示制御部２３に通知する（ステップＳ３）。ズームイン要求を通知された表示制御部２３は、対象領域（対象オブジェクト）Ｎをキーとする検索をオブジェクト検索部２２に依頼する（ステップＳ４）。オブジェクト検索部２２は、対象領域（対象オブジェクト）Ｎをキーとして関連情報格納部２４を検索する（ステップＳ５）。関連情報格納部２４から図８に基づく検索結果、即ち、「ＮをズームインするとＯ，Ｐが新たに表示される」がオブジェクト検索部２２に返る（ステップＳ６）。その後、オブジェクト検索部２２は、検索結果を表示制御部２３に通知する（ステップＳ７）。検索結果を通知された表示制御部２３は、新規に表示すべきオブジェクトＯ，Ｐをオブジェクト格納部２１から読み出し、レイアウト位置を適当に設定し（本例では、Ｎの下方にＯとＰを並べる）、閲覧者Ｉ／Ｆ２６に通知する（ステップＳ８）。閲覧者Ｉ／Ｆ２６は、表示制御部２３からの情報に基づき、新オブジェクトＯ，Ｐを表示する（ステップＳ９）。
【０１３８】
なお、上述のようにマルチメディアコンテンツのオブジェクトＮに対してズームイン操作を行った結果として現れた新たなオブジェクトＯ，Ｐは、所定のオブジェクトに対するズームアウト操作により消滅する。例えば、図１３に示すオブジェクトＥを選択した状態で、オブジェクトＥに対してズームアウト操作を行うと、オブジェクトＥの下位階層のオブジェクトは全て一緒にズームアウトされ（オブジェクトＯ，Ｐが消える）、最終的に図４と同様の画面に戻る。
【０１３９】
加えて、本実施の形態のコンピュータ１（サーバコンピュータＳ）は、ＣＰＵ２がＯＳ上で動作するマルチメディアコンテンツ閲覧プログラムに従うことにより、初期画面から始めてズーミング操作を実行した後の状態を保存・再現することもできる。例えば、閲覧者αが図５に示すマルチメディアコンテンツのオブジェクトＣを選択してズームイン操作して下位階層の新たなオブジェクトを表示した状態を図１５に示す。図１５に示すように、ズームイン操作によって各会議参加者の顔写真の画像（オブジェクトＴ，Ｕ，Ｖ，Ｗ）が新たに表示される。ここで、関連情報格納部２４には、図１５において表示されているオブジェクトの組が図１６に示すような閲覧結果として閲覧者αに対応付けて記述されている。このような閲覧結果を再利用することにより、閲覧者αが次回にこのマルチメディアコンテンツ（出張報告書）を閲覧する際は、図１５と同様の画面を初期画面として見ることができる。これにより、閲覧者は閲覧履歴や結果を保存することができ、かつ、同じコンテンツを閲覧するたびに同じズーミング操作を繰り返す手間が省ける。
【０１４０】
次に、マルチメディアコンテンツ閲覧における画面遷移例を簡単に説明する。
【０１４１】
図１７に示す例においては、初期画面Ｐ１上の所定のオブジェクトにマウスカーソルＸを合わせてズーム対象領域とし（画面Ｐ２）、ズームイン操作すると対応シーンの静止画像が対象領域の直下に現れる。同時に、静止画像単独の枠線も現れる（画面Ｐ３）。なお、画面Ｐ３に表示されている「内容」以外の周辺領域は、小さくなっている。ズームイン操作を続け、静止画像が所定の大きさになると、動画として動き出す（画面Ｐ４）。この状態で他の領域を選択しても、対応シーンの画像は残る（画面Ｐ５）。既に対応シーンの静止画像がある領域を再度選択してズームイン操作すると、対応する動画が再び再生される（画面Ｐ６）。なお、対応シーンの静止画像のみを選択してズームイン操作しても、動画を再生することができる（画面Ｐ７）。また、画面Ｐ４の状態でズームアウト操作すると、対応シーンの静止画像が徐々に縮小され（画面Ｐ３）、最後には対応シーンの静止画像が消えることになる（画面Ｐ２）。
【０１４２】
図１８に示す例においては、初期画面Ｐ１上の小項目のテキスト（オブジェクト）の１つにマウスカーソルＸを合わせてズーム対象領域とし（画面Ｐ８）、ズームイン操作すると詳細内容が小さなフォントで現れ、加えて、対応シーンの静止画像が対象領域の直下に現れる。また、それぞれの枠線も同時に現れる（画面Ｐ９）。さらにズームイン操作すると、詳細内容のフォントサイズと画像が大きくなり、静止画像があるサイズに達すると動画再生する（画面Ｐ１０）。また、画面Ｐ１０の状態でズームアウト操作すると、対応シーンの静止画像が徐々に縮小され（画面Ｐ９）、最後には対応シーンの静止画像と詳細内容が消えることになる（画面Ｐ８）。なお、詳細内容のみを選択してズームイン／ズームアウトすることもできる（画面Ｐ１１）。最後までズームアウトすると、詳細内容のテキストは消える。また、対応シーンの静止画像のみを選択してズームイン／ズームアウトすることもできる（画面Ｐ１２）。ズームイン操作した場合には、動画が再生し、最後までズームアウトすると対応シーンの静止画像は消える。さらに、他の小項目をオブジェクトとして選択することもできる（画面Ｐ１３）。
【０１４３】
図１９に示す例においては、対応シーンの静止画像と詳細内容が表示されている画面Ｐ１４において、「１．」全体を示すオブジェクトにマウスカーソルＸを合わせてズーム対象領域とし（画面Ｐ１５）、ズームイン操作すると初期画面以外の下位項目が全て縮小していく（画面Ｐ１６）。そして、最終的に下位項目が全てなくなり初期状態に戻る（画面Ｐ１７）。また、「２．」の下位項目も全て初期状態なら、周辺のフォントサイズも戻る。
【０１４４】
図２０に示す例においては、初期画面Ｐ１上の参加者全体を示すオブジェクトにマウスカーソルＸを合わせてズーム対象領域とし（画面Ｐ１８）、ズームイン操作すると顔写真の画像が現れる（画面Ｐ１９）。この場合、他の項目は、縮小される。さらに、ズームイン操作すると、顔写真の画像が拡大していき（画面Ｐ２０）、縦列配置になる（画面Ｐ２１）。さらに、ズームイン操作を続けると、各参加者のプロフィールテキストが現れ（画面Ｐ２２）、プロフィールテキストが拡大する（画面Ｐ２３）。
【０１４５】
図２１に示す例においては、画面Ｐ２３上の特定の一人の参加者を示すオブジェクトにマウスカーソルＸを合わせてズーム対象領域とし（画面Ｐ２４）、ズームイン操作するとその人物だけ拡大する（画面Ｐ２５）。また、画面Ｐ２５上の顔写真を示すオブジェクトにマウスカーソルＸを合わせてズーム対象領域とし（画面Ｐ２６）、ズームイン操作すると顔写真が拡大する（画面Ｐ２７）。
【０１４６】
このように本実施の形態によれば、閲覧者Ｉ／Ｆ２６から取得した閲覧者のアクションと関連情報格納部２４に格納されているオブジェクト間の関連情報とに基づくズーミングの対象となるオブジェクトがオブジェクト格納部２１から検索され、検索されたオブジェクトに基づいてコンテンツが形成されてディスプレイ９に表示される。これにより、各種のオブジェクトの集合で構成されるコンテンツがズーミングにより動的に変化するので、固定的なレイアウトを作りこむ必然性／重要性が低くなり、また、関連情報が同一ページに表示されるので複数ページを一つ一つ作成しなくてよく、コンテンツを編集する編集者側の負担の軽減化を図ることが可能になる。また、コンテンツを閲覧する閲覧者側の表示の自由度を確保することが可能になる。
【０１４７】
また、本実施の形態によれば、オブジェクトに対するズーミングの履歴を保存することにより閲覧履歴（結果）を再現することが可能になるので、同じズーミング操作を繰り返す手間が省ける。
【０１４８】
［第二の実施の形態］
本発明の第二の実施の形態を図２２ないし図２４に基づいて説明する。なお、前述した第一の実施の形態と同一部分は同一符号で示し説明も省略する。本実施の形態は、マルチメディアコンテンツ（出張報告書）に最初にアクセスする際の初期画面を複数設定しておくことができるようにしたものである。
【０１４９】
図２２は、本実施の形態の関連情報格納部２４に格納されている初期画面種類に対応付けた表示オブジェクトを示す説明図である。図２２に示すように、関連情報格納部２４には、初期画面種類（営業担当者向け、経理担当者向け、携帯端末向け）に対応付けて、各初期画面でそれぞれ表示されるオブジェクトの組が記述されている。このようにマルチメディアコンテンツ（出張報告書）に最初にアクセスする際の初期画面を複数設定することにより、閲覧者の属性や閲覧に利用している機器に応じて適切な初期画面が表示される。
【０１５０】
例えば、営業担当者向けの初期画面では、図２２に示すように、オブジェクトＡ，Ｂ，Ｃ，Ｄ，Ｅ，Ｆ，Ｇ，Ｈ，Ｉ，Ｊ，Ｋ，・・・を表示する。営業担当者向けのマルチメディアコンテンツ（出張報告書）の初期画面は、図５に示した初期画面と同様であり、議事の内容がある程度細かく表示されている。
【０１５１】
一方、経理担当者向けの場合は、図２２に示すように、オブジェクトＡ，Ｂ，Ｃ，Ｄ，Ｅ，Ｆ，Ｊ，Ｑ，Ｒ，Ｓを表示する。図２３は、経理担当者向けのマルチメディアコンテンツ（出張報告書）の初期画面を示す正面図である。なお、図２３におけるＡ，Ｂ，・・・のアルファベットは、説明用に各オブジェクトを識別するための記号で、実際の画面上には現れない。図２３に示すように、経理担当者向けの初期画面においては、議事内容の代わりに、出張に要した交通費の明細が表示されている。
【０１５２】
また、携帯端末向けの場合は、図２２に示すように、オブジェクトＡ，Ｂ，Ｃ，Ｄ，Ｅ，Ｆ，Ｊのみを表示する。図２４は、携帯端末向けのマルチメディアコンテンツ（出張報告書）の初期画面を示す正面図である。なお、図２４におけるＡ，Ｂ，・・・のアルファベットは、説明用に各オブジェクトを識別するための記号で、実際の画面上には現れない。図２４に示すように、携帯端末向けの初期画面においては、携帯端末の場合は画面が小さいので、まずは最も基本的な情報のみを提示するというのが狙いである。
【０１５３】
これらのような各種の初期画面は、ズーミング操作により相互に行き来が可能である。例えば、図５において、オブジェクトＥをズームアウト操作すれば図２４の画面となり、そこからさらにオブジェクトＢをズームイン操作すれば図２３の画面となる。もちろん、図２３や図２４の状態からオブジェクトＥの下位階層のオブジェクトを順次ズームイン操作していけば、図１１のように詳細な議事内容や動画像を閲覧することもできる。
【０１５４】
このように本実施の形態によれば、閲覧に利用している機器や閲覧者の属性に応じてコンテンツの閲覧の際の初期画面を変えることで、状況に応じた最適な情報を迅速に入手することが可能になる。
【０１５５】
なお、各実施の形態のコンテンツ閲覧システムとしては、サーバコンピュータＳにネットワークＮを介してクライアントコンピュータＣが複数台接続されたサーバクライアントシステムを想定したが、これに限るものではなく、コンテンツ閲覧システムとして全てローカルなシステム（例えば、パーソナルコンピュータ単体）を適用するようにしても良い。
【図面の簡単な説明】
【０１５６】
【図１】本発明の第一の実施の形態におけるシステム構築例を示す模式図である。
【図２】一般的又は標準的なパーソナルコンピュータのハードウェアの構成図である。
【図３】サーバコンピュータ及びクライアントコンピュータの機能構成を示すブロック図である。
【図４】ディスプレイに表示されるマルチメディアコンテンツの一例を示す正面図である。
【図５】図４に示すマルチメディアコンテンツ上にマウスによりマウスカーソルを重ねた状態を示す正面図である。
【図６】関連情報格納部に格納されているオブジェクト間の関連情報の一例を示す説明図である。
【図７】関連情報格納部に格納されているオブジェクト間の関連情報の一例を示す説明図である。
【図８】関連情報格納部に格納されているオブジェクト間の関連情報の一例を示す説明図である。
【図９】関連情報格納部に格納されているオブジェクト間の関連情報の一例を示す説明図である。
【図１０】図５に示すマルチメディアコンテンツのオブジェクトＨに対してズームイン操作を行った結果を示す正面図である。
【図１１】図１０に示すマルチメディアコンテンツのオブジェクトＬのみを選択してズームイン操作を行った結果を示す正面図である。
【図１２】図１２に示すマルチメディアコンテンツのオブジェクトＨの下位のオブジェクトＮのズームイン操作を示す説明図である。
【図１３】マルチメディアコンテンツのオブジェクトＮに対してズームイン操作を行った結果を示す正面図である。
【図１４】図１２から図１３への変化に対応するマルチメディアコンテンツ閲覧処理の流れを示すフローチャートである。
【図１５】図５に示すマルチメディアコンテンツのオブジェクトＣを選択してズームイン操作して下位階層の新たなオブジェクトを表示した状態を示す正面図である。図である。
【図１６】関連情報格納部に格納されている閲覧結果の一例を示す説明図である。
【図１７】マルチメディアコンテンツ閲覧における画面遷移例を示す説明図である。
【図１８】マルチメディアコンテンツ閲覧における画面遷移例を示す説明図である。
【図１９】マルチメディアコンテンツ閲覧における画面遷移例を示す説明図である。
【図２０】マルチメディアコンテンツ閲覧における画面遷移例を示す説明図である。
【図２１】マルチメディアコンテンツ閲覧における画面遷移例を示す説明図である。
【図２２】本発明の第二の実施の形態の関連情報格納部に格納されている初期画面種類に対応付けた表示オブジェクトを示す説明図である。
【図２３】経理担当者向けのマルチメディアコンテンツの初期画面を示す正面図である。
【図２４】携帯端末向けのマルチメディアコンテンツの初期画面を示す正面図である。
【符号の説明】
【０１５７】
６      記憶媒体
９      表示部
１０，１１      入力部
２１      オブジェクト格納部
２２      オブジェクト検索手段
２３      表示制御手段
２４      関連情報格納部
２５      関連情報生成手段
２６      閲覧手段
２７      編集手段
Ｃ      クライアント
Ｓ      コンテンツサーバ
【図１】
2006048151.tif 000003
【図２】
2006048151.tif 000004
【図３】
2006048151.tif 000005
【図４】
2006048151.tif 000006
【図５】
2006048151.tif 000007
【図６】
2006048151.tif 000008
【図７】
2006048151.tif 000009
【図８】
2006048151.tif 000010
【図９】
2006048151.tif 000011
【図１０】
2006048151.tif 000012
【図１１】
2006048151.tif 000013
【図１２】
2006048151.tif 000014
【図１３】
2006048151.tif 000015
【図１４】
2006048151.tif 000016
【図１５】
2006048151.tif 000017
【図１６】
2006048151.tif 000018
【図１７】
2006048151.tif 000019
【図１８】
2006048151.tif 000020
【図１９】
2006048151.tif 000021
【図２０】
2006048151.tif 000022
【図２１】
2006048151.tif 000023
【図２２】
2006048151.tif 000024
【図２３】
2006048151.tif 000025
【図２４】
2006048151.tif 000026